(57)【要約】      （修正有）【課題】肘や膝等、関節近傍で曲げ伸ばしが多く、ベルトや貼付型のツボ刺激具では、装着が難しい部分にあるツボを、押圧できる関節近傍のツボの押圧に最適なツボ押圧具を提供する。【解決手段】腕に装着するツボ押圧具１００であって、伸縮性を有する素材からなり、肘より上腕側に装着する環状の第一バンド部１と、前記第一バンド部の下側に設けられ、伸縮性を有する素材からなり、肘より前腕側に装着する環状の第二バンド部２と、前記第一バンド部の下側端の一部と前記第二バンド部の上側端の一部とを接続し、前記第一バンド部と前記第二バンド部の外側であって、装着したときに肘近傍に対応する部分に設けられた接続部４と、前記接続部の裏側であって、装着したときに肘近傍に接する面に設けられたツボ押圧部と、からなることを特徴とするツボ押圧用具を提供する。【選択図】図１
0003234910.tif 000002
【実用新案登録請求の範囲】
【請求項１】
腕に装着するツボ押圧具であって、
伸縮性を有する素材からなり、肘より上腕側に装着する環状の第一バンド部と、
前記第一バンド部の下側に設けられ、伸縮性を有する素材からなり、肘より前腕側に装着する環状の第二バンド部と、
前記第一バンド部の下側端の一部と前記第二バンド部の上側端の一部とを接続し、前記第一バンド部と前記第二バンド部の外側であって、装着したときに肘近傍に対応する部分に設けられた接続部と、
前記接続部の一面であって、装着したときに肘近傍に接する面に設けられたツボ押圧部と、からなることを特徴とするツボ押圧具。
【請求項２】
前記ツボ押圧部は、硬質の素材からなり半球状の隆起の頂点に前記隆起より小さな径の凸部を有することを特徴とする請求項１に記載のツボ押圧具。
【請求項３】
前記ツボ押圧部は、装着したときに肘窩横紋の一端であって胴体から遠いほうの端に接する場所に設けられていることを特徴とする請求項１又は請求項２に記載のツボ押圧用具。
【考案の詳細な説明】
【技術分野】
【０００１】
本考案は、肘や膝等、関節近傍のツボを押圧するのに最適な装着型のツボ押圧具に関する。
【背景技術】
【０００２】
身体には様々なツボがあり、ツボを刺激することで、健康状態がよくなり疾病を予防する効果があることが知られている。ツボは身体中、至るところにあり、肘窩横紋の端部にある曲池は、免疫機能を向上する万能ツボとして知られ、曲池のツボを押圧し刺激すると、花粉症、湿疹、便秘、下痢等に効果的であるとされる。ツボの押圧は、強すぎず弱すぎず、適度な強さで、長時間、継続的に刺激する必要があるため、これまで、各種装着型または貼付型のツボ刺激具が考案されている。身体に装着したまま過ごすことで、長時間ツボを押圧し続けることができるので、装着型のツボ刺激具は、手軽にツボ治療を行うために有用である。
【先行技術文献】
【特許文献】
【０００３】
【特許文献１】特開平１―３１４５６９号公報
【特許文献２】特開２００４−１６０２０４号公報
【考案の概要】
【考案が解決しようとする課題】
【０００４】
特許文献１のアクセサリー指圧器は、ベルトにツボ押し用の突起が設けられたものであり、ベルトに設けられた面テープ等で手や腕に装着する。また、特許文献２は、手首のツボを刺激する突起と、冷却刺激する冷却剤が含浸または付着されたツボ刺激パッドである。特許文献１は、面テープが設けられていることにより、手首や腕の好みの場所に装着してツボを刺激することができるが、肘等、曲げ伸ばしを頻繁に行う部位に装着すると、位置がずれてしまったり外れてしまったりすることがある。特許文献２のツボ刺激パッドは、手や肘のどのような部位にも貼り付けることができるが、やはり、肘等の曲げ伸ばしを頻繁に行う部位に取り付けると、はがれてしまうことが多い。
【０００５】
本考案では、肘や膝等、関節近傍で曲げ伸ばしが多く、ベルトや貼付型のツボ刺激具では、装着が難しい部分にあるツボを、押圧できる関節近傍のツボの押圧に最適なツボ押圧具を提供する。
【課題を解決するための手段】
【０００６】
本考案のツボ押圧具は、腕に装着するツボ押圧具であって、伸縮性を有する素材からなり、肘より上腕側に装着する環状の第一バンド部と、前記第一バンド部の下側に設けられ、伸縮性を有する素材からなり、肘より前腕側に装着する環状の第二バンド部と、前記第一バンド部の下側端の一部と前記第二バンド部の上側端の一部とを接続し、前記第一バンド部と前記第二バンド部の外側であって、装着したときに肘近傍に対応する部分に設けられた接続部と、前記接続部の一面であって、装着したときに肘近傍に接する面に設けられたツボ押圧部と、からなることを特徴とする。
【０００７】
この考案によれば、第一バンド部が上腕に、第二バンド部が前腕に装着され、それぞれフィットするので、上腕と前腕の境界である肘窩横紋の近傍にあるツボを、長時間、安定的に刺激し続けることができる。
【０００８】
また、本考案のツボ押圧具のツボ押圧部は、硬質の素材からなり半球状の隆起の頂点に前記隆起より小さな径の凸部を有することを特徴とする。
【０００９】
この考案によれば、第一バンド部が上腕に、第二バンド部が前腕に装着され、それぞれフィットし、さらに、ツボ押圧部が、隆起の頂点に、小さな径の凸部を有していることで、凸部に適度な力が加わり、ツボを程よい力で刺激する。最適な強さで、上腕と前腕の境界である肘窩横紋の近傍にあるツボを、長時間、安定的に刺激し続けるツボ押圧具とすることができる。
【００１０】
また、本考案のツボ押圧具のツボ押圧部は、装着したときに肘窩横紋の一端であって胴体から遠いほうの端に接する場所に設けられていることを特徴とする。
【００１１】
この考案によれば、第一バンド部が上腕に、第二バンド部が前腕に装着され、それぞれフィットし、さらに、ツボ押圧部が、隆起の頂点に、小さな径の凸部を有していることで、凸部に適度な力が加わり、ツボを程よい力で刺激する。最適な強さで、上腕と前腕の境界である肘窩横紋の近傍にあるツボを、長時間、安定的に刺激し続けるツボ押圧具とすることができる。また、ツボ押圧具が第一バンド部と第二バンド部を有しており、肘窩横紋の両端に、それぞれが位置するので、肘窩横紋の外側端にある曲池のツボを刺激するのに最適な形状となっている。
【図面の簡単な説明】
【００１２】
【図１】本考案の実施の形態１のツボ押圧具１００を上方から見た斜視図である。
【図２】本考案の実施の形態１のツボ押圧具１００を下方から見た斜視図である。
【図３】本考案の実施の形態１のツボ押圧具１００を示す右側面図である。
【図４】本考案の実施の形態１のツボ押圧具１００を示す平面図である。
【図５】本考案の実施の形態１のツボ押圧具１００を示す左側面図である。
【図６】本考案の実施の形態１のツボ押圧具１００を示す底面図である。
【図７】本考案の実施の形態１のツボ押圧具１００を示す正面図である。
【図８】本考案の実施の形態１のツボ押圧具１００を示す背面図である。
【図９】図４のツボ押圧具１００を示すＡ−Ａ断面図である。
【図１０】（ａ）本考案の実施の形態１のツボ押圧具１００の使用方法を示す参考説明図であり（ｂ）は使用した状態を示す参考説明図である。
【考案を実施するための形態】
【００１３】
以下、考案を実施するための最良の形態について、添付図面を参照して説明する
【００１４】
（実施の形態１）
図１及び図２は、考案の実施の形態１のツボ押圧具１００を上方から見た斜視図である。図３は、本考案の実施の形態１のツボ押圧具１００を示す右側面図であって、図４は平面図、図５は左側面図、図６は底面図、図７は正面図、図８は背面図である。図９は、図４のツボ押圧具１００を示すＡ−Ａ断面図である。
【００１５】
図１から図６に示すように、本考案の実施の形態１のツボ押圧具１００は、第一バンド部１、第二バンド部２、接続部４を有し、接続部４の一面であって体に接する面、すなわち、装着時に肘近傍に触れる面にはツボ押圧部３が設けられている。第一バンド部１、第二バンド部２は、それぞれ伸縮性を有する素材または弾性を有する素材からなり、腕が通せるくらいのサイズの環または筒形状である。本考案の実施の形態１のツボ押圧具１００では、第一バンド部１及び第二バンド部３は、伸縮性のあるニット素材でつくられている。本考案の実施の形態１のツボ押圧具１００ではニット素材を用いたが、第一バンド部１及び第二バンド部２は、シリコン等の弾性ある素材を用いてもよい。
【００１６】
図１及び図２に示すように、第一バンド部１と、第二バンド部２は、それぞれ環状であり、一か所のみ互いに連結されている。連結部分は接続部４となっている。図４に示すように、接続部４は、平らな楕円形状の接続具であり、接続部４の一面であって体に接する面、すなわち、環状の第一バンド部１と第二バンド部２を腕に通して装着したときに、腕に触れる面には、ツボ押圧部３が設けられている。
【００１７】
図７から図９に示すように、ツボ押圧部３は、半球形状の隆起であり、半球形状の頂点近傍には、小さな凸部が設けられ、突起３１を形成している。突起３１は、ツボ押圧部３の半球形状よりも小さな径の突起または凸部である。ツボ押圧部３は、プラスチック樹脂等の硬質の素材からなる。
【００１８】
接続部４は、楕円形状であるが、その面積は、ツボ押圧部３の半球形状の底面積よりも大きい。ツボ押圧部３よりも大きい面積の接続部４が設けられていることによって、接続部４を上から手で押圧したときに、ツボ押圧部３にかかる力は増強されて伝わり、さらに、ツボ押圧部３の先端の突起３１にさらに大きな力が加わる。すなわち、接続部４に上から小さな力をかけるだけで、突起３１にはツボを押圧する最適な強さの力が加わることになる。
【００１９】
次に、図１０を示しながら、ツボ押圧具１００の使用方法について説明する。図１０（ａ）は、考案の実施の形態１のツボ押圧具１００の装着部位を説明するための参考説明図であって、（ｂ）は、考案の実施の形態１のツボ押圧具１００を装着した状態を示す参考説明図である。
【００２０】
本考案の実施の形態１のツボ押圧具１００は、肘のシワ、すなわち肘窩横紋の端であって胴体から遠いほうの端にある曲池のツボを刺激するのに最適である。曲池のツボは、免疫機能を向上する万能ツボであり、曲池のツボを押圧し刺激すると、花粉症、湿疹、便秘、下痢等に効果的であるとされる。本考案の実施の形態１のツボ押圧具１００は、曲池のツボを効率的に刺激し、とくに、花粉症予防等に効果がある。
【００２１】
図１０（ａ）は、曲池の位置を示す図であり、Ｂの位置が曲池のツボである。曲池のツボの位置は、腕を曲げたときにできる皺、すなわち、肘窩横紋の端にある。手のひらを上にして肘を曲げたときに、肘のシワの外側（胴体とは反対の側）の端にあるのが曲池である。本考案の実施の形態１のツボ押圧具１００は、図１０（ｂ）に示すように、ツボ押圧部３が曲池のツボにあたるように第一バンド部を上腕に、第二バンド部を前腕に装着して固定する。伸縮性ある素材の第一バンド部と第二バンド部とが設けられ、第一バンド部と第二バンド部はツボ押圧部３の部分のみが連結されているので、第一バンド部と第二バンド部との間隙に肘がくるように装着すれば、肘を曲げ伸ばししても第一バンド部と第二バンド部とがずれることがなく、しっかりフィットして、曲池のツボを安定して押圧し続けることが可能である。
【００２２】
本考案の実施の形態１のツボ押圧具１００は腕に装着して曲池のツボを刺激するほか、手首に装着して手首近傍にあるツボを刺激するのに用いてもよい。また、環状の第一バンド部と第二バンドの径のサイズを大きくして膝に装着して膝近傍にあるツボを刺激するのに用いてもよい。また、本考案の実施の形態１のツボ押圧具１００は、装着する部位または装着する人の体形にあわせて、様々なサイズのものを準備して好みのものを選択できるようにしてもよい。また、第一バンド部１と第二バンド部２とを一体型にして幅広のバンドを１つ準備して、周方向に沿って切り込みを入れ、切り込みのない部分にツボ押圧部３を貼り付ける構成としてもよい。
【符号の説明】
【００２３】
１００  ツボ押圧具
１  第一バンド部
２  第二バンド部
３  ツボ押圧部
３１  突起
４  接続部
４１留め具
Ｈ  手
【図１】
0003234910.tif 000003
【図２】
0003234910.tif 000004
【図３】
0003234910.tif 000005
【図４】
0003234910.tif 000006
【図５】
0003234910.tif 000007
【図６】
0003234910.tif 000008
【図７】
0003234910.tif 000009
【図８】
0003234910.tif 000010
【図９】
0003234910.tif 000011
【図１０】
0003234910.tif 000012